(57)【特許請求の範囲】
【請求項１】
相互に通信可能に接続された放送受信装置と情報端末装置とを有する情報アクセスシステムであって、
前記放送受信装置は、
前記情報端末装置で使用されるアドレスと当該アドレスの有効期限及びアドレスの表示条件を有する属性情報とを含んだ放送を受信する放送受信手段と、
前記放送受信手段で受信した放送に含まれているアドレスと属性情報とを記憶するアドレス記憶手段と、
前記放送受信装置における現在の日時、選択中のチャネル番号、音量、及びスタンバイモードか否かを、前記放送受信装置の状態として管理する状態管理手段と、
前記状態管理手段で管理されている現在の状態と前記アドレス記憶手段に記憶された属性情報とを比較し、前記放送受信装置における現在の日時、選択中のチャネル番号、音量、及びスタンバイモードか否かの全てが前記表示条件を満たすアドレスを、前記アドレス記憶手段に記憶されたアドレスの中から１つ以上抽出し、送信対象のアドレスとするアドレス抽出手段と、
前記アドレス抽出手段で抽出したアドレスを前記情報端末装置に送信するアドレス送信手段とを備え、
前記情報端末装置は、
前記放送受信装置から送信されたアドレスを受信するアドレス受信手段と、
前記アドレス受信手段で受信したアドレスを画面に表示するアドレス表示手段と、
前記アドレス表示手段で表示したアドレスから一のアドレスを選択するアドレス選択手段と、
前記アドレス選択手段で選択したアドレスを用いて情報を取得する情報取得手段と、
前記情報取得手段で取得した情報を画面に表示する情報表示手段とを備えた、情報アクセスシステム。
【請求項２】
前記放送受信装置は、前記アドレス記憶手段に記憶されたアドレスと属性情報とを編集するアドレス編集手段をさらに備えた、請求項１に記載の情報アクセスシステム。
【請求項３】
前記情報端末装置は、前記放送受信装置との間の通信機能を用いて、前記アドレス記憶手段に記憶されたアドレスと属性情報とを編集する端末側アドレス編集手段をさらに備えた、請求項１に記載の情報アクセスシステム。
【請求項４】
前記放送受信手段は、前記情報端末装置で使用されるアドレスと当該アドレスの属性情報とを含んだテレビジョン放送を受信することを特徴とする、請求項１に記載の情報アクセスシステム。
【請求項５】
前記放送受信手段で受信した放送に含まれているアドレスは、当該放送の内容と関連した情報にアクセスするためのアドレスであることを特徴とする、請求項４に記載の情報アクセスシステム。
【請求項６】
前記アドレス表示手段は、前記アドレス受信手段で受信したアドレスを直ちに画面に表示することを特徴とする、請求項１に記載の情報アクセスシステム。
【請求項７】
前記放送受信装置と前記情報端末装置とは、近距離無線通信を用いて相互に通信可能に接続されていることを特徴とする、請求項１に記載の情報アクセスシステム。
【請求項８】
相互に通信可能に接続された情報端末装置にアドレスを提供する放送受信装置であって、
前記情報端末装置で使用されるアドレスと当該アドレスの有効期限及びアドレスの表示条件を有する属性情報とを含んだ放送を受信する放送受信手段と、
前記放送受信手段で受信した放送に含まれているアドレスと属性情報とを記憶するアドレス記憶手段と、
前記放送受信装置における現在の日時、選択中のチャネル番号、音量、及びスタンバイモードか否かを、前記放送受信装置の状態として管理する状態管理手段と、
前記状態管理手段で管理されている現在の状態と前記アドレス記憶手段に記憶された属性情報とを比較し、前記放送受信装置における現在の日時、選択中のチャネル番号、音量、及びスタンバイモードか否かの全てが前記表示条件を満たすアドレスを、前記アドレス記憶手段に記憶されたアドレスの中から１つ以上抽出し、送信対象のアドレスとするアドレス抽出手段と、
前記アドレス抽出手段で抽出したアドレスを前記情報端末装置に送信するアドレス送信手段とを備えた、放送受信装置。
【請求項９】
相互に通信可能に接続された情報端末装置にアドレスを提供する放送受信装置で実行されるプログラムであって、
前記情報端末装置で使用されるアドレスと当該アドレスの有効期限及びアドレスの表示条件を有する属性情報とを含んだ放送を受信するステップと、
受信した放送に含まれているアドレスと属性情報とを記憶するステップと、
前記放送受信装置における現在の日時、選択中のチャネル番号、音量、及びスタンバイモードか否かを、前記放送受信装置の状態として管理するステップと、
管理している現在の状態と記憶した属性情報とを比較し、前記放送受信装置における現在の日時、選択中のチャネル番号、音量、及びスタンバイモードか否かの全てが前記表示条件を満たすアドレスを、記憶したアドレスの中から１つ以上を、送信対象のアドレスとして抽出するステップと、
抽出したアドレスを前記情報端末装置に送信するステップとを備えた、プログラム。
【発明の詳細な説明】
【０００１】
【発明の属する技術分野】
本発明は、放送受信装置と情報端末装置とを有する情報アクセスシステムに関し、より特定的には、放送受信装置が情報端末装置で使用されるアドレスを受信して情報端末装置に提供し、情報端末装置が提供されたアドレスを用いて情報にアクセスする情報アクセスシステムに関する。
【０００２】
【従来の技術】
携帯電話やＰＨＳ（Personal Handy phone System ）など、近年の情報端末装置には、ウェブブラウジング機能が搭載されている。ユーザは、このような情報端末装置を用いてインターネットにアクセスすることにより、時間と場所とを問わず、インターネットに接続されたウェブサイトから情報を取得し、取得した情報を閲覧することができる。
【０００３】
また、情報端末装置からインターネットにアクセスすることに加えて、情報端末装置と他の種類の機器（例えば、テレビなどの家庭用機器）との間で通信を行うことに関して、各種の方法が知られている。
【０００４】
例えば、第１の方法として、特許文献１には、家庭用機器やオフィス機器など、多種多様な機器をウェブブラウザを用いて制御する方法が開示されている。第１の方法では、制御対象となる機器にＨＴＴＰ（HyperText Transfer Protocol ）に準拠した通信手段が設けられ、機器の外部にあるウェブブラウザに対して機器ウェブページが提供される。また、新たなパッケージファイルを機器にダウンロードすることにより、機器の構成情報が変更され、機器ウェブページが更新される。
【０００５】
また、第２の方法として、特許文献２には、デジタル放送受信機が、受信した番組識別情報などをリモコンとして機能する操作機に送信し、操作機が、番組識別情報などを用いて広域ネットワークにアクセスする方法が開示されている。
【０００６】
上記第１および第２の方法を組み合わせることにより、放送受信装置と情報端末機器とを有し、放送受信装置が情報端末装置で使用されるアドレスを受信して情報端末装置に提供し、情報端末装置が提供されたアドレスを用いて情報にアクセスする情報アクセスシステムを得ることができる。ここで、情報端末装置で使用されるアドレスとは、例えば、ＵＲＬ（Universal Resource Locator）などをいう。
【０００７】
上記システムの具体例として、デジタルテレビと携帯電話とを有する情報アクセスシステムを考えることができる。従来のテレビを用いる場合、ユーザは、番組視聴中に画面に表示されたＵＲＬにアクセスするときには、表示されたＵＲＬをメモなどに控えた上で、パーソナルコンピュータやウェブブラウジング機能を搭載した携帯電話などに、控えたＵＲＬを一文字ずつ入力する必要がある。この入力操作をなくすためには、例えば、テレビジョン放送信号にＵＲＬをデータとして埋め込み、デジタルテレビと携帯電話との間に何らかの通信手段を設け、デジタルテレビは受信したテレビジョン放送信号に含まれているＵＲＬを携帯電話に送信すればよい。これにより、携帯電話のユーザは、ＵＲＬを入力することなく、ウェブサイトに蓄積された、番組と連動した情報を閲覧することができる。
【０００８】
さらに、第３の方法として、特許文献３には、携帯電話のような小型端末で情報を閲覧する場合に、データ転送効率を向上させる目的で、大型情報端末に事前に必要な情報をダウンロードした上で、適当な時に小型端末に転送して閲覧する方法が開示されている。
【０００９】
【特許文献１】
特開平１０−２５４８０６号公報
【特許文献２】
特開２００１−４５４４７号公報
【特許文献３】
特開平１１−２７３１２号公報
【００１０】
【発明が解決しようとする課題】
しかしながら、上記第１および第２の方法を組み合わせた情報アクセスシステムには、以下の問題がある。例えば、デジタルテレビと携帯電話とを有するシステムについて言えば、放送局がテレビジョン放送信号に含めて次々とＵＲＬを送信し、デジタルテレビが受信したＵＲＬをそのまま携帯電話に中継すると、携帯電話ではＵＲＬが溢れるという問題がある。より詳細には、大量のＵＲＬがテレビジョン放送信号に含めて送信された場合、携帯電話を用いて大量のＵＲＬの中から必要なＵＲＬを発見して選択することは、ユーザにとって極めて困難な作業となる。また、携帯電話の記憶容量には一定の限界があるので、必要なＵＲＬが、その後に送信されたＵＲＬで上書きされ、失われる可能性もある。
【００１１】
また、ウェブサイトは永続的に存在するものではないにも関わらず、上記システムは、ＵＲＬの有効期間を管理できない。このため、ユーザが提供されたＵＲＬを用いてあるウェブサイトにアクセスしたときに、そのウェブサイトに記憶されている情報の価値が既になくなっている場合がある。また、デジタルテレビから携帯電話に対するＵＲＬの提供は、ユーザの意向に関わらず、予めシステムで定めた優先度に従って行われるので、ユーザにとって価値のあるＵＲＬが、不要なＵＲＬ群の中に埋もれてしまう可能性がある。
【００１２】
また、上記第３の方法では、大型情報端末に予め設定されたウェブサイトから情報を取得するだけで、取得した情報の有効期間を管理する仕組みや、情報に付加された属性に基づき情報を選別する仕組みは設けられていない。このため、第３の方法では、取得した情報に基づき情報を選別し、選別した情報をユーザに提示することができない。
【００１３】
それ故に、本発明は、放送受信装置が情報端末装置で使用されるアドレスを受信して情報端末装置に提供する情報アクセスシステムにおいて、ユーザが情報端末装置を用いて少ない操作で目的の情報にアクセスできるようにすることを目的とする。
【００１４】
【課題を解決するための手段および発明の効果】
第１の発明は、相互に通信可能に接続された放送受信装置と情報端末装置とを有する情報アクセスシステムであって、放送受信装置は、情報端末装置で使用されるアドレスと当該アドレスの有効期限及びアドレスの表示条件を有する属性情報とを含んだ放送を受信する放送受信手段と、放送受信手段で受信した放送に含まれているアドレスと属性情報とを記憶するアドレス記憶手段と、放送受信装置における現在の日時、選択中のチャネル番号、音量、及びスタンバイモードか否かを、放送受信装置の状態として管理する状態管理手段と、状態管理手段で管理されている現在の状態とアドレス記憶手段に記憶された属性情報とを比較し、放送受信装置における現在の日時、選択中のチャネル番号、音量、及びスタンバイモードか否かの全てが表示条件を満たすアドレスを、アドレス記憶手段に記憶されたアドレスの中から１つ以上抽出し、送信対象のアドレスとするアドレス抽出手段と、アドレス抽出手段で抽出したアドレスを情報端末装置に送信するアドレス送信手段とを備え、情報端末装置は、放送受信装置から送信されたアドレスを受信するアドレス受信手段と、アドレス受信手段で受信したアドレスを画面に表示するアドレス表示手段と、アドレス表示手段で表示したアドレスから一のアドレスを選択するアドレス選択手段と、アドレス選択手段で選択したアドレスを用いて情報を取得する情報取得手段と、情報取得手段で取得した情報を画面に表示する情報表示手段とを備える。
このような第１の発明によれば、放送受信装置が情報端末装置で使用されるアドレスを取得して情報端末装置に提供する情報アクセスシステムにおいて、放送受信装置は、放送されたアドレスのうちから一部のアドレスを抽出して情報端末装置に送信する。これにより、放送受信装置は、情報端末装置にとって必要なアドレスだけを抽出して送信することができる。よって、放送された多数のアドレスが情報端末装置にそのまま提供されることが防止され、情報端末装置におけるアドレスの表示や選択が容易になる。したがって、ユーザは、情報端末装置を用いて少ない操作で目的の情報にアクセスすることができる。
【００１５】
第２の発明は、第１の発明において、放送受信装置は、アドレス記憶手段に記憶されたアドレスと属性情報とを編集するアドレス編集手段をさらに備える。
このような第２の発明によれば、ユーザは、放送受信装置を用いて、放送受信装置におけるアドレスの抽出条件を変更し、情報端末装置に提供されるアドレスの内容やアドレスの提供の態様を自由に制御することができる。
【００１６】
第３の発明は、第１の発明において、情報端末装置は、放送受信装置との間の通信機能を用いて、アドレス記憶手段に記憶されたアドレスと属性情報とを編集する端末側アドレス編集手段をさらに備える。
このような第３の発明によれば、ユーザは、情報端末装置を用いて遠隔操作で、放送受信装置におけるアドレスの抽出条件を変更し、情報端末装置に提供されるアドレスの内容やアドレスの提供の態様を自由に制御することができる。
【００１８】
第４の発明は、第１の発明において、放送受信手段は、情報端末装置で使用されるアドレスと当該アドレスの属性情報とを含んだテレビジョン放送を受信することを特徴とする。
このような第４の発明によれば、放送受信装置は、テレビジョン放送されたアドレスのうちから一部のアドレスを抽出して情報端末装置に送信する。この場合でも、放送受信装置は、情報端末装置にとって必要なアドレスだけを抽出して送信するので、ユーザは、情報端末装置を用いて少ない操作で目的の情報にアクセスすることができる。
【００１９】
第５の発明は、第４の発明において、放送受信手段で受信した放送に含まれているアドレスは、当該放送の内容と関連した情報にアクセスするためのアドレスであることを特徴とする。
このような第５の発明によれば、テレビジョン放送の内容と関連した情報にアクセスするためのアドレスが、テレビジョン放送に含めて送信される場合でも、ユーザは、情報端末装置を用いて少ない操作で目的の情報にアクセスすることができる。
【００２０】
第６の発明は、第１の発明において、アドレス表示手段は、アドレス受信手段で受信したアドレスを直ちに画面に表示することを特徴とする。
このような第６の発明によれば、放送受信装置から情報端末装置に次々とアドレスが送信される場合でも、ユーザは、最も新しく提供されたアドレスを用いて情報にアクセスすることができる。
【００２１】
第７の発明は、第１の発明において、放送受信装置と情報端末装置とは、近距離無線通信を用いて相互に通信可能に接続されていることを特徴とする。
このような第７の発明によれば、放送受信装置と情報端末装置との間の通信を容易に行うことができる。
【００２２】
第８の発明は、相互に通信可能に接続された情報端末装置にアドレスを提供する放送受信装置であって、情報端末装置で使用されるアドレスと当該アドレスの有効期限及びアドレスの表示条件を有する属性情報とを含んだ放送を受信する放送受信手段と、放送受信手段で受信した放送に含まれているアドレスと属性情報とを記憶するアドレス記憶手段と、放送受信装置における現在の日時、選択中のチャネル番号、音量、及びスタンバイモードか否かを、放送受信装置の状態として管理する状態管理手段と、状態管理手段で管理されている現在の状態とアドレス記憶手段に記憶された属性情報を比較し、放送受信装置における現在の日時、選択中のチャネル番号、音量、及びスタンバイモードか否かの全てが表示条件を満たすアドレスを、アドレス記憶手段に記憶されたアドレスの中から１つ以上抽出し、送信対象のアドレスとするアドレス抽出手段と、アドレス抽出手段で抽出したアドレスを情報端末装置に送信するアドレス送信手段とを備える。
このような第８の発明によれば、第１の発明に係る情報アクセスシステムに含まれる放送受信装置を提供することができる。
【００２５】
第９の発明は、相互に通信可能に接続された情報端末装置にアドレスを提供する放送受信装置で実行されるプログラムであって、情報端末装置で使用されるアドレスと当該アドレスの有効期限及びアドレスの表示条件を有する属性情報とを含んだ放送を受信するステップと、受信した放送に含まれているアドレスと属性情報とを記憶するステップと、放送受信装置における現在の日時、選択中のチャネル番号、音量、及びスタンバイモードか否かを、放送受信装置の状態として管理するステップと、管理している現在の状態と記憶した属性情報とを比較し、放送受信装置における現在の日時、選択中のチャネル番号、音量、及びスタンバイモードか否かの全てが表示条件を満たすアドレスを、記憶したアドレスの中から１つ以上を、送信対象のアドレスとして抽出するステップと、抽出したアドレスを情報端末装置に送信するステップとを備える。
このような第９の発明によれば、第８の発明に係る放送受信装置で実行されるプログラムを提供することができる。
【００２７】
【発明の実施の形態】
（システムの構成）
図１は、本発明の実施形態に係る情報アクセスシステムを含むシステム全体の構成図である。図１に示すシステムは、放送局４１、放送受信装置１０、情報端末装置２０、ウェブサーバ４２、放送網３１、近距離無線ネットワーク３０、および、インターネット３２を備える。このうち、放送受信装置１０と情報端末装置２０とを含む部分（破線で囲んだ部分）が、本発明の実施形態に係る情報アクセスシステムに相当する。
【００２８】
図１に示すように、放送受信装置１０と情報端末装置２０は、近距離無線ネットワーク３０を介して相互に通信可能に接続されている。近距離無線通信には、ＰＨＳにおける電話機と基地局との間の通信、無線ＬＡＮ（Local Area Network）、Bluetooth （Ｒ）などが使用される。
【００２９】
放送受信装置１０は、例えば、各家庭に設置されたテレビである。放送受信装置１０は、放送網３１を介して放送局４１に接続されている。放送局４１から放送受信装置１０には、ビデオやオーディオの放送データに含めて、情報端末装置２０が情報にアクセスするときに使用するアドレスおよびその属性データが送信される。なお、ここでアドレスとは、ＵＲＬやＩＰ（Internet Protocol ）アドレスなどに代表される、ネットワーク上に存在する情報の在り処を示すデータをいう。放送受信装置１０は、放送局４１から送信されたアドレスおよびその属性データを受信し、所定の方法で送信対象のアドレスを抽出する。その上で、放送受信装置１０は、近距離無線ネットワーク３０を用いて、抽出したアドレスを情報端末装置２０に送信する。
【００３０】
情報端末装置２０は、例えば、ウェブブラウジング機能を備えた携帯電話である。情報端末装置２０は、インターネット３２を介してウェブサーバ４２に接続されている。情報端末装置２０には、放送受信装置１０から送信されたアドレス（例えば、ウェブサーバ４２から情報を取得する際に使用されるＵＲＬ）が表示される。情報端末装置２０のユーザは、例えば入力キーを用いて、画面に表示されたアドレスから一のアドレスを選択する。情報端末装置２０は、ユーザによって選択されたアドレスを用いて情報にアクセスする。例えば、アドレスがＵＲＬである場合、情報端末装置２０は、ユーザによって選択されたＵＲＬを用いてウェブサーバ４２にアクセスし、ウェブサーバ４２から情報を取得する。取得した情報は、情報端末装置２０の画面に表示される。
【００３１】
なお、図１に示すシステム構成は一例であり、放送受信装置１０は、情報端末装置２０との間の通信機能を有している限り、テレビに限らず、ラジオなどの放送受信機器でも、パーソナルコンピュータなどのデータ受信機器であってもよい。また、情報端末装置２０は携帯電話に限らず、無線機能を搭載したＰＤＡ（Personal Digital Assistance ）やＰＨＳなどの携帯情報機器であってもよい。
【００３２】
また、放送局４１と放送受信装置１０とを接続するネットワークは、放送網３１に限らず、ＣＳ（Communications Satellite）放送網や、有線を用いたインターネットなどの広域通信網や、イントラネットなどの専用通信網であってもよい。また、放送受信装置１０と情報端末装置２０とを接続するネットワークは、ＰＨＳ、無線ＬＡＮ、Bluetooth （Ｒ）などの近距離無線ネットワーク３０に限らず、ＩｒＤＡ（InfraRed Data Association ）などの赤外線を利用したネットワークや、有線のネットワークであってもよい。また、情報端末装置２０とウェブサーバ４２とを接続するネットワークは、インターネット３２に限らず、専用線を用いたイントラネットや、無線ネットワークであってもよい。
【００３３】
図１に示す情報アクセスシステムは、上述したように、放送受信装置１０が、アドレスおよびその属性データを受信し、所定の方法で抽出したアドレスを情報端末装置２０に送信することを特徴とする。以下に示す各実施形態では、放送受信装置１０および情報端末装置２０の詳細について説明する。
【００３４】
（第１の実施形態）
図２は、本発明の第１の実施形態に係る情報アクセスシステムの構成を示すブロック図である。図２に示す放送受信装置１１０および情報端末装置１２０は、それぞれ、図１に示す放送受信装置１０および情報端末装置２０に相当する。放送受信装置１１０は、放送受信部１１、アドレス記憶部１２、状態管理部１３、アドレス抽出部１４、および、送受信部１５を備える。情報端末装置１２０は、送受信部２１、アドレス表示部２２、アドレス選択部２３、情報取得部２４、および、情報表示部２５を備える。
【００３５】
放送受信装置１１０の各構成要素は、以下のように動作する。放送受信部１１は、放送局４１から放送網３１を介してビデオやオーディオの放送データを受信する。受信したビデオやオーディオの放送データは、所定の形式に変換され、画面やスピーカから出力される。放送局４１から放送受信装置１１０には、ビデオやオーディオの放送データに含めて、アドレスおよびその属性データが送信される。放送受信部１１は、放送局４１からアドレスおよびその属性データを受信し、これらのデータをアドレス記憶部１２に出力する。
【００３６】
アドレス記憶部１２は、放送受信部１１から出力されたアドレスおよびその属性データを記憶する。アドレスは、上述したように、情報端末装置１２０が情報にアクセスするときに使用するアドレスである。より詳細には、アドレスは、情報端末装置１２０からアクセスできる情報群のうち、一または複数の情報を指定する記述子である。アドレスは、例えば、インターネット３２に接続されたウェブサーバ４２に蓄積された情報のＵＲＬや、ファイルストレージに記憶されているファイルを指定するパス名などである。また、アドレスの属性データには、アドレスの有効期間（Time To Live：以下、ＴＴＬと略称する）、表示条件、優先度などが含まれる。属性データの詳細については、図４を用いて後に説明する。
【００３７】
状態管理部１３は、放送受信装置１１０の状態を管理し、放送受信装置１１０の状態を内部に保持している。状態管理部１３で管理されている状態には、例えば、現在の日時、テレビなどのチャンネル番号、音量、スタンバイモード（主電源は入っているが画面が表示されていないモード）であるか否かなど、放送受信装置１１０の各種の状態が含まれる。
【００３８】
アドレス抽出部１４は、アドレス記憶部１２に記憶された属性データと、状態管理部１３で管理されている状態とに基づき、アドレス記憶部１２に記憶されたアドレスから、情報端末装置１２０に送信すべきアドレスを抽出する。
【００３９】
例えば、アドレス抽出部１４は、属性データに含まれているアドレスの有効期間と、装置の状態に含まれている現在の日時とを比較し、現在の日時が有効期間外である場合には、受信したアドレスを無効であると判断し、そのアドレスを送信対象のアドレスから除外する。また、属性データに含まれている、あるアドレスの表示条件が「毎週月曜２０時から２１時」である場合には、アドレス抽出部１４は、当該表示条件で指定された曜日および時間と、装置の状態に含まれている現在の日時とを比較し、現在の日時が表示条件で指定された期間である場合に限り、受信したアドレスを送信対象として抽出する。また、属性データに含まれている、あるアドレスの表示条件が「テレビのチャンネルが１チャンネル」である場合には、アドレス抽出部１４は、当該表示条件で指定されたチャンネルと、装置の状態に含まれている現在のチャンネル番号とを比較し、現在のチャンネルが１チャンネルである場合に限り、受信したアドレスを送信対象として抽出する。アドレス抽出部１４で抽出されたアドレスは、送受信部１５に出力される。
【００４０】
送受信部１５は、近距離無線ネットワーク３０を用いて、情報端末装置１２０の送受信部２１との間でデータを送受信する。特に、送受信部１５は、アドレス抽出部１４から出力された送信対象のアドレスを、情報端末装置１２０に送信する。なお、送受信部１５がデータを送受信する相手先の機器は、情報端末装置１２０に限らず、近距離無線ネットワーク３０に接続され、情報端末装置１２０と同等の機能を有する機器であればよい。
【００４１】
情報端末装置１２０の各構成要素は、以下のように動作する。送受信部２１は、近距離無線ネットワーク３０を用いて、放送受信装置１１０の送受信部１５との間でデータを送受信する。特に、送受信部２１は、放送受信装置１１０から送信されたアドレスを受信し、アドレス表示部２２に出力する。なお、送受信部２１がデータを送受信する相手先の機器は、放送受信装置１１０に限らず、近距離無線ネットワーク３０に接続され、放送受信装置１１０と同等の機能を有する機器であればよい。
【００４２】
アドレス表示部２２は、送受信部２１から出力されたアドレスを情報端末装置１２０の画面に表示する。アドレスは、ユーザが各アドレスを特定できる態様で、例えば、文字列やアイコンなどを用いて表示される。アドレス表示部２２は、既に情報端末装置１２０に保持されているアイコンデータを用いて、アドレスをアイコン表示してもよい。あるいは、アイコンデータがアドレスと同じ要領で情報端末装置１２０に提供される場合には、アドレス表示部２２は、放送局４１から送信されたアイコンデータを用いて、アドレスをアイコン表示してもよい。
【００４３】
アドレス選択部２３は、ユーザからの指示に応じて、アドレス表示部２２に表示されたアドレスのうちから一のアドレスを選択する。例えば、情報端末装置１２０の画面には、アドレスとともにカーソルが表示され、情報端末装置１２０のユーザは、方向ボタンや番号ボタンを用いて希望するアドレスにカーソルを移動させ、決定ボタンを押下してもよい。あるいは、各アドレスに予め番号を割り当てておき、ユーザは、希望するアドレスに対応した番号ボタンを直接押下してもよい。アドレス選択部２３で選択されたアドレスは、情報取得部２４に出力される。
【００４４】
情報取得部２４は、インターネット３２を介してウェブサーバ４２と接続され、アドレス選択部２３で選択されたアドレスを用いて情報を取得する。より詳細には、情報取得部２４は、アドレス選択部２３で選択されたアドレスによって特定されるウェブサーバ４２にアクセスし、当該ウェブサーバから所定の情報を取得する。情報取得部２４で取得された情報は、情報表示部２５に出力される。
【００４５】
情報表示部２５は、情報取得部２４から出力された情報（すなわち、ユーザがアドレス選択部２３を用いて選択した情報）を情報端末装置１２０の画面に表示する。
【００４６】
図３は、放送受信装置１１０から情報端末装置１２０に送信されるアドレスの例を示す図である。図３（ａ）に示すアドレスは、インターネット３２に接続されたウェブサーバ４２に蓄積された情報の位置を示すＵＲＬであり、ウェブサーバ４２のネットワーク上での住所と、ウェブサーバ４２内部における情報の位置とを連結した構成を有している。なお、ＵＲＬのうちネットワーク上での住所の部分は、ＩＰアドレスやイントラネットに接続されたコンピュータの名称など、ネットワーク上での情報の存在場所を一意に特定できる情報であれば、その形式は任意である。また、アドレスは、情報の位置を示す文字列に加えて、情報のタイトルを示す文字列や情報の特徴を図示するアイコンデータを有していてもよい。図３（ｂ）に示すアドレスは、電話番号であり、情報端末装置１２０が電話機能を有している場合に使用される。なお、図３（ｂ）に示す電話番号は、一例として着信者が料金を支払うことを示す上位４桁の番号（0120）と、着信者を識別するための下位６桁の番号（XXXXXX：ただし、X は数字）とを連結した構成を有している。
【００４７】
図４は、アドレス記憶部１２に記憶されたデータの一例を示す図である。アドレス記憶部１２には、放送受信部１１から出力されたアドレスおよびその属性データが、例えば、図４に示すテーブル状に記憶される。テーブルの各行は、１つのアドレスおよびその属性データに対応する。図４に示す例では、「ＵＲＬ」がアドレスであり、「ＴＴＬ」「表示条件」および「優先度」が属性データである。なお、ＵＲＬの欄には、ＵＲＬだけでなく、他の形式のアドレス（例えば、電話番号）が記載される場合もある。「ＴＴＬ」は、アドレスが有効である期限を示す。「表示条件」は、アドレスが情報端末装置１２０の画面に表示されるための条件を示す。「優先度」は、アドレスの優先度を示す。
【００４８】
「名称」および「アイコン保存場所」は、アドレスとともに記憶された付帯情報である。「名称」は、アドレスが示す情報に与えられた名称であり、アドレスとともに放送局４１から送信される。「アイコン保存場所」は、アドレス記憶部１２に内蔵されたメモリの番地であって、アドレスに対応したアイコンデータが記憶された場所を示す。アドレス記憶部１２は、図４に示すテーブルを、例えば、テーブルに含まれる各要素をカンマなどの記号で区切った上で、所定の順序に並べた形式で記憶する。なお、アドレス記憶部１２では、すべてのアドレスのすべての要素に値が登録されている必要はなく、属性データや付帯情報が未登録であってもよい。
【００４９】
図５は、放送受信装置１１０における処理を示すフローチャートである。放送受信装置１１０は、図５に示すように、ステップＳ１０１からＳ１１３の処理を繰り返し実行する。図６は、情報端末装置１２０における処理を示すフローチャートである。情報端末装置１２０は、図６に示すように、ステップＳ１５１からＳ１５８の処理を繰り返し実行する。以下、図５および図６を参照して、放送受信装置１１０および情報端末装置１２０の動作を説明する。
【００５０】
図５に示すように、放送受信装置１１０は、まず、放送局４１から放送網３１を介して放送データを受信したか否かを判定し（ステップＳ１０１）、受信した場合にはステップＳ１０２へ、それ以外の場合にはステップＳ１０４へ進む。前者の場合、放送受信部１１が、受信した放送データからアドレスおよびその属性データを取得し、アドレス記憶部１２に出力する（ステップＳ１０２）。アドレス記憶部１２は、放送受信部１１から出力されたアドレスおよびその属性データを記憶する（ステップＳ１０３）。
【００５１】
ステップＳ１０４からＳ１１２では、アドレス抽出部１４が動作する。放送受信装置１１０がステップＳ１０４に到達した時点で、アドレス記憶部１２には１以上のアドレスが記憶されている。アドレス抽出部１４は、変数ｉを用いて、アドレス記憶部１２に記憶されたアドレスのうち、処理対象のアドレスを指定する。アドレス抽出部１４は、変数ｉに１を代入し、送信対象のアドレスをクリアする（ステップＳ１０４）。次に、アドレス抽出部１４は、アドレス記憶部１２から第ｉのアドレスおよびその属性データを読み出し（ステップＳ１０５）、状態管理部１３から装置の状態を読み出す（ステップＳ１０６）。
【００５２】
次に、アドレス抽出部１４は、ステップＳ１０５で読み出した第ｉのアドレスの属性データと、ステップＳ１０６で読み出した装置の状態とを比較し（ステップＳ１０７）、その比較結果に基づき、第ｉのアドレスを送信対象とすべきか否かを判定する（ステップＳ１０８）。ステップＳ１０７およびＳ１０８の処理は、例えば、現在の日時、テレビなどのチャンネル番号、音量、スタンバイモードであるか否かなど、状態管理部１３で管理されている放送受信装置１１０の状態に基づき実行される。ステップＳ１０８における判定結果が肯定である場合、アドレス抽出部１４は、第ｉのアドレスを送信対象に追加する（ステップＳ１０９）。それ以外の場合、第ｉのアドレスは、送信対象に追加されない。
【００５３】
次に、アドレス抽出部１４は、第ｉのアドレスが最終データであるか否かを判定する（ステップＳ１１０）。第ｉのアドレスが最終データでない場合には（ステップＳ１１０のＮＯ）、アドレス抽出部１４は、変数ｉに１を加算し（ステップＳ１１１）、ステップＳ１０５へ進む。
【００５４】
これに対して、第ｉのアドレスが最終データである場合には（ステップＳ１１０のＹＥＳ）、アドレス抽出部１４は、送信対象のアドレスを送受信部１５に出力する（ステップＳ１１２）。次に、送受信部１５が、近距離無線ネットワーク３０を用いて、アドレス抽出部１４から出力された送信対象のアドレスを情報端末装置１２０に送信する（ステップＳ１１３）。次に、放送受信装置１１０はステップＳ１０１へ進む。これにより、ステップＳ１０１からＳ１１３の処理が再び実行される。
【００５５】
なお、図５に示すフローチャートでは、アドレス抽出部１４は、Ｎ個のアドレスを昇順で処理したが、アドレスを他の順序（例えば、降順やランダム順）で処理してもよい。
【００５６】
図６に示すように、情報端末装置１２０は、まず、放送受信装置１１０から近距離無線ネットワーク３０を介してアドレスを受信したか否かを判定し（ステップＳ１５１）、受信した場合にはステップＳ１５２へ、それ以外の場合にはステップＳ１５４へ進む。前者の場合、送受信部２１は、受信したアドレスをアドレス表示部２２に出力する（ステップＳ１５２）。アドレス表示部２２は、送受信部２１から出力されたアドレスを情報端末装置１２０の画面に直ちに表示する（ステップＳ１５３）。ステップＳ１５１でアドレスを受信していない場合、情報端末装置１２０は、前回ステップＳ１５３で表示した画面を表示し続ける。
【００５７】
情報端末装置１２０のユーザは、希望により、アドレス選択部２３を用いて、画面に表示されたアドレスのうちから一のアドレスを選択する。アドレス選択部２３は、ユーザによってアドレスが選択されたか否か判定する（ステップＳ１５４）。情報端末装置１２０は、アドレスが選択された場合にはステップＳ１５５へ、それ以外の場合にはステップＳ１５１へ進む。
【００５８】
前者の場合、アドレス選択部２３は、選択されたアドレスを情報取得部２４に出力する（ステップＳ１５５）。情報取得部２４は、アドレス選択部２３で選択されたアドレスによって特定されるウェブサーバ４２にアクセスし、当該ウェブサーバから、選択されたアドレスによって指定された情報を取得する（ステップＳ１５６）。次に、情報取得部２４は、ウェブサーバ４２から取得した情報を情報表示部２５に出力する（ステップＳ１５７）。情報表示部２５は、情報取得部２４から出力された情報を情報端末装置１２０の画面に表示する（ステップＳ１８）。次に、情報端末装置１２０は、ステップＳ１５１へ進む。これにより、ステップＳ１５１からＳ１５８の処理が、再び実行される。
【００５９】
なお、ユーザによるアドレス選択の手間を省くため、情報端末装置１２０は、ステップＳ１５３でアドレスを１つだけ表示した場合には、ステップＳ１５４ではユーザによる選択の有無に関わらず、そのアドレスを自動的に選択して、ステップＳ１５５へ進んでもよい。
【００６０】
以上に示すように、本実施形態に係る情報アクセスシステムでは、放送受信装置は、受信した放送に含まれているアドレスおよびその属性データを記憶し、装置の状態と記憶した属性データとに基づき、記憶したアドレスから送信対象のアドレスを抽出した上で、抽出したアドレスを情報端末装置に送信する。一方、情報端末装置は、放送受信装置から送信されたアドレスを用いて情報を取得し、取得した情報を画面に表示する。これにより、放送受信装置は、装置の状態と記憶した属性データとに基づき、情報端末装置にとって必要なアドレスだけを抽出して送信することができる。よって、放送された多数のアドレスが情報端末装置にそのまま提供されることが防止され、情報端末装置におけるアドレスの表示や選択が容易になる。したがって、ユーザは、情報端末装置を用いて少ない操作で目的の情報にアクセスすることができる。
【００６１】
また、放送受信装置は、アドレスおよびその属性データを含んだテレビジョン放送を受信してもよく、テレビジョン放送に含まれているアドレスは、当該放送の内容と関連した情報にアクセスするためのアドレスであってもよい。この場合でも、放送受信装置は、情報端末装置にとって必要なアドレスだけを抽出して送信するので、ユーザは、情報端末装置を用いて少ない操作で目的の情報にアクセスすることができる。
【００６２】
また、情報端末装置は、放送受信装置から送信されたアドレスを直ちに画面に表示する。したがって、放送受信装置から情報端末装置に次々とアドレスが送信される場合でも、ユーザは、最も新しく提供されたアドレスを用いて情報にアクセスすることができる。
【００６３】
（第２の実施形態）
図７は、本発明の第２の実施形態に係る情報アクセスシステムの構成を示すブロック図である。図７に示す放送受信装置２１０および情報端末装置２２０は、それぞれ、図１に示す放送受信装置１０および情報端末装置２０に相当する。放送受信装置２１０は、放送受信部１１、アドレス記憶部１２、状態管理部１３、アドレス抽出部１４、および、送受信部１６を備える。情報端末装置２２０は、送受信部２６、アドレス表示部２２、アドレス選択部２３、情報取得部２４、情報表示部２５、および、アドレス編集部２７を備える。本実施形態に係る情報アクセスシステムは、アドレスの更新情報を送信する点、および、アドレスおよびその属性データの編集機能を備える点で、第１の実施形態に係る情報アクセスシステムと相違する。本実施形態の構成要素のうち、第１の実施形態と同一の構成要素については、同一の参照番号を付して、説明を省略する。
【００６４】
まず、アドレスの更新情報を送信する点について説明する。本実施形態においても、第１の実施形態と同様に、放送受信装置２１０は、アドレスおよびその属性データを受信し、アドレス記憶部１２は、これらのデータを記憶する。放送受信装置２１０が受信するアドレス、および、アドレス記憶部１２に記憶されるデータは、それぞれ、例えば、図３および図４に示したものである。
【００６５】
本実施形態に係る送受信部１６および２６は、以下に示す点で、第１の実施形態に係る送受信部１５および２１と相違する。すなわち、送受信部１６は、情報端末装置２２０に送信したアドレスを送信履歴として記憶し、アドレスを送信するときには、アドレスをそのまま送信せずに、今回送信すべきアドレスと送信履歴に記憶されている既に送信したアドレスとの差分情報（以下、更新情報という）を送信する。送受信部２６は、放送受信装置２１０から受信したアドレスを受信履歴として記憶し、放送受信装置２１０から更新情報を受信したときには、受信した更新情報を用いて受信履歴を更新し、更新後の受信履歴に基づき、その時点で受信しているアドレスをアドレス表示部２２に出力する。
【００６６】
図８は、放送受信装置２１０から情報端末装置２２０に送信される更新情報の一例を示す図である。図８に示す更新情報は、図４に示す第１から第３のアドレスが既に送信された状態で、２００１年９月１６日１７時に、放送受信装置２１０が第５のアドレスを受信した場合に送信される。
【００６７】
送受信部１６の送信履歴、および、送受信部２６の受信履歴には、いずれも、第１から第３のアドレスが記録されており、このうち、２００１年９月１６日１７時には、第２および第３のアドレスのＴＴＬが終了する。したがって、第２および第３のアドレスは、送信対象から除外される。一方、１７時には第４のアドレスの表示条件が満たされるようになるので、第４のアドレスは、送信対象に追加される。また、新たに受信した第５のアドレスの属性データによれば、第５のアドレスを１８時まで常時表示することとされている。このため、第５のアドレスも、送信対象に追加される。
【００６８】
第１から第３のアドレスが送信された状態を、第１、第４および第５のアドレスが送信された状態に遷移させるためには、第２および第３のアドレスを送信対象から削除し、第４および第５のアドレスを送信対象に追加すればよい。そこで、放送受信装置２１０から情報端末装置２２０には、図８に示す更新情報が送信される。図８において、文字列ＤＥＬから始まる行は、情報端末装置２２０の受信履歴からアドレスを削除することを示し、文字列ＡＤＤから始まる行は、情報端末装置２２０の受信履歴にアドレスを追加することを示す。
【００６９】
図９は、放送受信装置２１０における処理を示すフローチャートである。放送受信装置２１０は、図９に示すように、ステップＳ２０１からＳ２１７の処理を繰り返し実行する。図１０は、情報端末装置２２０における処理を示すフローチャートである。情報端末装置２２０は、図１０に示すように、ステップＳ２５１からＳ２５９の処理を繰り返し実行する。以下、図９および図１０を参照して、放送受信装置２１０および情報端末装置２２０の動作を説明する。
【００７０】
図９に示すステップＳ２０１からＳ２１２の処理は、図５に示すステップＳ１０１からＳ１１２の処理と同じであるので、ここでは説明を省略する。ステップＳ２１２でアドレス抽出部１４が送信対象のアドレスを出力すると、送受信部１６は、送信対象のアドレスと送信履歴に記憶されている既に送信したアドレスとを比較する（ステップＳ２１３）。放送受信装置２１０は、両者が一致する場合にはステップＳ２０１へ、それ以外の場合にはステップＳ２１５へ進む（ステップＳ２１４）。前者の場合、以下に示す更新情報の送信処理は、実行されない。
【００７１】
後者の場合、送受信部１６は、送信対象のアドレスと送信履歴に記憶されている既に送信したアドレスとの差分を求めることにより、更新情報を作成する（ステップＳ２１５）。次に、送受信部１６は、近距離無線ネットワーク３０を用いて、作成した更新情報を情報端末装置２２０に送信し（ステップＳ２１６）、送信した更新情報を用いて送信履歴を更新する（ステップＳ２１７）。次に、放送受信装置２１０は、ステップＳ２０１へ進む。これにより、ステップＳ２０１からＳ２１７の処理が、再び実行される。
【００７２】
図１０に示すステップＳ２５４からＳ２５９の処理は、図６に示すステップＳ１５３からＳ１５８の処理と同じであるので、ここでは説明を省略する。情報端末装置２２０は、放送受信装置２１０から近距離無線ネットワーク３０を介して更新情報を受信したか否かを判定し（ステップＳ２５１）、受信した場合はステップＳ２５２へ、それ以外の場合にはステップＳ２５４へ進む。
【００７３】
前者の場合、送受信部２６は、受信した更新情報を用いて、受信履歴を更新する（ステップＳ２５２）。次に、送受信部２６は、更新後の受信履歴に基づき、その時点で受信しているアドレスを求めて、アドレス表示部２２に出力する（ステップＳ２５３）。アドレス表示部２２は、送受信部２１から出力されたアドレスを情報端末装置２２０の画面に直ちに表示する（ステップＳ２５４）。ステップＳ２５１でアドレスを受信していない場合、情報端末装置２２０は、前回ステップＳ２５４で表示した画面を表示し続ける。ステップＳ２５５以降、情報端末装置２２０は、第１の実施形態に係る情報端末装置１２０と同じように動作する。
【００７４】
なお、情報端末装置２２０は、第１の実施形態と同様に、ステップＳ２５４でアドレスを１つだけ表示した場合には、ステップＳ２５５ではユーザによる選択の有無に関わらず、そのアドレスを自動的に選択して、ステップＳ２５６へ進んでもよい。
【００７５】
また、更新情報は、必ずしも図８に示した形式を有する必要はなく、アドレスの更新内容を表す任意の形式を有していてもよい。例えば、アドレスには、各アドレスを一意に特定できる番号を割り当てることとし、更新情報ではその番号を用いて削除すべきアドレスを指定してもよい。
【００７６】
また、アドレスにアドレスのタイトルやアイコンなどが含まれている場合において、アドレスに含まれる一部のデータを変更するときには、放送受信装置２１０は、アドレスに含まれている情報のうち、変更部分のみを送信してもよく、全体を送信してもよい。
【００７７】
放送受信装置２１０と情報端末装置２２０とは、一定の期間だけ、更新情報に基づくアドレスの送受信を行うため、以下に示す処理を行ってもよい。図１１は、放送受信装置２１０と情報端末装置２２０との間でデータが送受信される様子を示すシーケンス図である。このシーケンス図は、更新情報に基づくアドレス送信サービスの開始、提供および終了の３つの段階を示している。図１１において、縦方向の２本の線は、それぞれ、放送受信装置２１０および情報端末装置２２０において、上から下に向かって時間が経過することを示す時間軸である。横方向の矢印は、放送受信装置２１０と情報端末装置２２０との間で送受信されるデータを示す。時間軸上に記載した二重波線は、任意長の時間が経過したことを示す。
【００７８】
サービスの開始段階では、情報端末装置２２０は、アドレスを受信する準備をした上で、時刻Ｔ１１に、サービス開始要求を放送受信装置２１０に送信する。情報端末装置２２０は、サービスの開始時に１回だけ、サービス開始要求を送信する。放送受信装置２１０は、受信したサービス開始要求に応じて、時刻Ｔ１２に、アドレス抽出部１４で抽出されたすべてのアドレスを送信する。情報端末装置２２０は、アドレスを正常に受信すると、時刻Ｔ１３に、受信完了通知を送信する。受信したアドレスは、情報端末装置２２０の画面に直ちに表示される。
【００７９】
その後、任意長の時間が経過し、アドレス抽出部１４において、既に送信したものとは異なるアドレスが抽出されたとする。放送受信装置２１０は、時刻Ｔ２１に、今回送信すべきアドレスと既に送信したアドレスとの差分情報である更新情報を送信する。情報端末装置２２０は、更新情報を受信すると、時刻Ｔ２２に、受信完了通知を送信する。受信した更新情報は、情報端末装置２２０で受信したアドレスを求めるために使用される。情報端末装置２２０の画面に表示されたアドレスは、直ちに最新のものに更新される。放送受信装置２１０は、アドレス抽出部１４において、既に送信したものとは異なるアドレスが抽出されるたびに、更新情報を送信する。
【００８０】
その後、さらに任意長の時間が経過し、情報端末装置２２０のユーザが、更新情報に基づくアドレス送信サービスを終了させる旨を指示したとする。情報端末装置２２０は、時刻Ｔ３１に、サービス終了通知を送信する。放送受信装置２１０は、サービス終了通知を受信すると、更新情報の送信を停止する。すなわち、時刻Ｔ３１以降、アドレス抽出部１４において、既に送信したものとは異なるアドレスが抽出されても、放送受信装置２１０は、更新情報を送信しない。
【００８１】
次に、本実施形態に係る情報アクセスシステムのさらなる特徴である、アドレスの編集機能について説明する。本実施形態では、送受信部１６は、アドレス記憶部１２に記憶されたデータにアクセスできるように構成される（図７の白抜き矢印を参照）。アドレス編集部２７は、ユーザからの指示に従い、送受信部１６および２６を用いて、近距離無線ネットワーク３０を介してアドレス記憶部１２にアクセスし、アドレス記憶部１２に記憶されたアドレスおよびその属性データを編集する。ユーザは、情報端末装置２２０を用いて遠隔操作で、アドレス記憶部１２に記憶されたアドレスおよびその属性データを追加、削除および変更することができる。これにより、ユーザは、例えば、必要なアドレスを送信対象に追加したり、不要なアドレスを送信対象から削除したり、アドレスに関する表示条件を変更したり、アドレスの優先度を変更することができる。特に、情報端末装置２２０が、アドレスを選択するときに最初にカーソルを最も優先度の高いアドレスに合わせるとした場合、ユーザは、アドレスの優先度を変更することにより、最初に好みのアドレスにカーソルが合うように情報端末装置２２０を制御することができる。
【００８２】
図１２は、アドレス編集部２７を用いてアドレス記憶部１２に記憶されたデータを編集するときの処理を示すフローチャートである。図１２において、放送受信装置２１０は、ステップＳ３０１からＳ３０５の処理を実行し、情報端末装置２２０は、ステップＳ３５１からＳ３５５の処理を実行する。
【００８３】
情報端末装置２２０のユーザは、アドレス編集部２７に対して、一以上のアドレスを編集することを指示する。アドレス編集部２７は、ユーザからの指示に従い、編集対象のアドレスを指定した編集要求を出力する（ステップＳ３５１）。送受信部２６は、アドレス編集部２７から出力された編集要求を放送受信装置２１０に送信する（ステップＳ３５２）。
【００８４】
放送受信装置２１０では、送受信部１６が、情報端末装置２２０から送信された編集要求を受信する（ステップＳ３０１）。送受信部１６は、アドレス記憶部１２から編集対象として指定されたアドレスおよびその属性データを読み出し（ステップＳ３０２）、読み出したデータを情報端末装置２２０に送信する（ステップＳ３０３）。
【００８５】
情報端末装置２２０では、送受信部２６が、編集対象のアドレスおよびその属性データを受信し、アドレス編集部２７に出力する（ステップＳ３５３）。アドレス編集部２７は、放送受信装置２１０から受信したアドレスおよびその属性データを、例えば図４に示すテーブル形式で情報端末装置２２０の画面に表示する。ユーザは、情報端末装置２２０の画面を見ながら、アドレスおよびその属性データを編集する。ユーザによる編集が終了すると、アドレス編集部２７は、編集後のアドレスおよびその属性データを送受信部２６に出力する（ステップＳ３５４）。送受信部２６は、編集後のアドレスおよびその属性データを放送受信装置２１０に送信する。（ステップＳ３５５）。これをもって、情報端末装置２２０は、アドレス編集処理を終了する。
【００８６】
放送受信装置２１０では、送受信部１６が、編集後のアドレスおよびその属性データを受信し、アドレス記憶部１２に出力する（ステップＳ３０４）。アドレス記憶部１２は、送受信部１６から出力された編集後のアドレスおよびその属性データを用いて、記憶しているアドレスおよびその属性データを更新する（ステップＳ３０５）。この際、アドレス記憶部１２は、編集後のデータを記憶しているデータに上書きしてもよく、編集後のデータを記憶しているデータに追加してもよい。これをもって、放送受信装置２１０は、アドレス編集処理を終了する。
【００８７】
なお、図７に示すシステムでは、アドレス編集部を情報端末装置に設けることとしたが、アドレス編集部を放送受信装置に設けてもよい。図１３は、本発明の第２の実施形態の変形例に係る情報アクセスシステムの構成を示すブロック図である。図１３に示す放送受信装置３１０および情報端末装置３２０は、それぞれ、図１に示す放送受信装置１０および情報端末装置２０に相当する。このシステムでは、アドレス編集部１７は、放送受信装置３１０に設けられ、ユーザからの指示に従い、アドレスおよびその属性データを編集する。ユーザは、放送受信装置３１０を用いて、アドレス記憶部１２に記憶されたアドレスおよびその属性データを追加、削除および変更することができる。図１３に示すシステムでは、アドレス編集部１７は放送受信装置３１０に設けられるので、アドレスおよびその属性データを編集するために通信を行う必要がない。
【００８８】
以上に示すように、本実施形態に係る情報アクセスシステムでは、第１の実施形態と同様に、放送受信装置は、放送されたアドレスのうちから一部のアドレスを抽出して、情報端末装置にアドレスの更新情報を送信する。言い替えると、放送受信装置は、今回送信すべきアドレスと既に送信したアドレスとが異なる場合にのみ、アドレスの更新情報を送信する。よって、送信すべきアドレスが変化していないときにはデータは送信されないので、第１の実施形態の効果に加えて、通信効率が向上するという効果を奏する。
【００８９】
また、本実施形態では、情報端末装置（または放送受信装置）は、放送受信装置に記憶されたアドレスおよびその属性データを編集するアドレス編集部を備える。これにより、ユーザは、情報端末装置（または放送受信装置）を用いて、放送受信装置におけるアドレスの抽出条件を変更し、情報端末装置に提供されるアドレスの内容やアドレスの提供の態様を自由に制御することができる。ユーザは、例えば、アドレスの有効期間を延長することや、アドレスを特定の期間だけ送信させることや、アドレスを選択するときに所定のアドレスに最初にカーソルを合わせることや、指定したアドレスを放送受信装置から提供させることなどができる。
【００９０】
なお、本実施形態に係る情報アクセスシステムは、上述したように、アドレスの更新情報を送信する点、および、アドレスなどの編集機能を有する点で、第１の実施形態に係る情報アクセスシステムと相違するが、これら２つの特徴は、互いに独立に適用できる。したがって、第１の実施形態に係る情報アクセスシステムといずれか一方の点で相違する情報アクセスシステムを構成することができる。具体的には、アドレスの更新情報を送信し、アドレスなどの編集機能を有していない情報アクセスシステム、および、アドレスをそのまま送信し、アドレスなどの編集機能を有する情報アクセスシステムを構成することができる。
【００９１】
また、上述した各実施形態に係る放送受信装置および情報端末装置を、各装置に内蔵されたＣＰＵとプログラムとの組合せにより構成することもできる。例えば、放送受信装置１１０に内蔵されたＣＰＵが、図５に示すフローチャートに従って動作するプログラムを実行することにより、放送受信装置１１０を構成することができる。あるいは、情報端末装置２２０に内蔵されたＣＰＵが、図１０に示すフローチャートに従って動作するプログラムを実行することにより、情報端末装置２２０を構成することができる。上記以外の放送受信装置および情報端末装置についても、これと同様である。
【図面の簡単な説明】
【図１】本発明の実施形態に係る情報アクセスシステムを含むシステム全体の構成図である。
【図２】本発明の第１の実施形態に係る情報アクセスシステムの構成を示すブロック図である。
【図３】本発明の第１および第２の実施形態に係る情報アクセスシステムで使用されるアドレスの例を示す図である。
【図４】本発明の第１および第２の実施形態に係る情報アクセスシステムのアドレス記憶部に記憶されたデータの一例を示す図である。
【図５】本発明の第１の実施形態に係る情報アクセスシステムの放送受信装置における処理を示すフローチャートである。
【図６】本発明の第１の実施形態に係る情報アクセスシステムの情報端末装置における処理を示すフローチャートである。
【図７】本発明の第２の実施形態に係る情報アクセスシステムの構成を示すブロック図である。
【図８】本発明の第２の実施形態に係る情報アクセスシステムで使用される更新情報の一例を示す図である。
【図９】本発明の第２の実施形態に係る情報アクセスシステムの放送受信装置における処理を示すフローチャートである。
【図１０】本発明の第２の実施形態に係る情報アクセスシステムの情報端末装置における処理を示すフローチャートである。
【図１１】本発明の第２の実施形態に係る情報アクセスシステムにおいて、データが送受信される様子を示すシーケンス図である。
【図１２】本発明の第２の実施形態に係る情報アクセスシステムにおいて、アドレス記憶部に記憶されたデータを編集するときの処理を示すフローチャートである。
【図１３】本発明の第２の実施形態の変形例に係る情報アクセスシステムの構成を示すブロック図である。
【符号の説明】
１０、１１０、２１０、３１０…放送受信装置
１１…放送受信部
１２…アドレス記憶部
１３…状態管理部
１４…アドレス抽出部
１５、１６、２１、２６…送受信部
１７、２７…アドレス編集部
２０、１２０、２２０、３２０…情報端末装置
２２…アドレス表示部
２３…アドレス選択部
２４…情報取得部
２５…情報表示部
３０…近距離無線ネットワーク
３１…放送網
３２…インターネット
４１…放送局
４２…ウェブサーバ
【図１】
0004237480.tif 000002
【図２】
0004237480.tif 000003
【図３】
0004237480.tif 000004
【図４】
0004237480.tif 000005
【図５】
0004237480.tif 000006
【図６】
0004237480.tif 000007
【図７】
0004237480.tif 000008
【図８】
0004237480.tif 000009
【図９】
0004237480.tif 000010
【図１０】
0004237480.tif 000011
【図１１】
0004237480.tif 000012
【図１２】
0004237480.tif 000013
【図１３】
0004237480.tif 000014